(57)【要約】【課題】各表示装置の周辺にいる利用者にふさわしいコンテンツを自動的に選択して表示装置に配信する。【解決手段】状態読取部２１が無線タグのＩＤを表示装置１から受け取ると、再生パターン生成部２４は無線タグ管理テーブル２２ｂから、該無線タグＩＤの利用者ＩＤを無線タグ管理テーブル２２ｂから取得、利用者テーブル２２ａから該利用者ＩＤの利用者属性を取得する。再生パターン生成部２４は再生コンテンツ管理テーブル２３ｃから該利用者属性を属性として持つコンテンツを検索し、再生パターンとして通信制御部２６を介して表示装置１に送信する。【選択図】図２
2004078820.tif 000002
【特許請求の範囲】
【請求項１】
１つまたは複数の拠点に設置された表示装置に対して通信ネットワークを介して情報を配信する装置であって、
各拠点の表示装置に入力され、前記通信ネットワークを介して送信されてきた、当該拠点の利用者に関する情報を読み取る状態読取り手段と、
読み取られた各拠点の利用者に関する情報を履歴として記録、管理する状態履歴管理手段と、
各拠点の表示装置で再生するコンテンツに関する情報を管理するコンテンツ情報管理手段と、
前記状態読取り手段から利用者に関する情報の通知を受け、前記状態履歴管理手段と前記コンテンツ情報管理手段で保持されている情報を参照して各拠点の表示装置におけるコンテンツの再生パターンを生成する再生パターン生成手段と、前記通信ネットワークを介して各拠点の表示装置との通信を制御する通信制御手段を有する情報配信装置。
【請求項２】
前記状態履歴管理手段は、利用者の属性情報を保持している、請求項１に記載の装置。
【請求項３】
前記コンテンツ情報管理手段は、各拠点の表示装置で初期状態として再生するコンテンツのパターンと、各拠点の表示装置で再生するコンテンツに関する情報と、各拠点の表示装置で再生されたコンテンツの履歴を保持し、前記再生パターン生成手段に前記コンテンツに関する情報と前記コンテンツの履歴を提供する、請求項１または２に記載の装置。
【請求項４】
前記再生パターン生成手段は、再生パターン生成開始のイベントを受信し、前記状態履歴管理手段で管理されている、利用者の属性情報の問い合わせ文を作成し、該問い合わせ文を利用して前記状態履歴管理手段から利用者の属性情報を取得し、前記コンテンツ情報管理手段で管理されているコンテンツから、前記取得された属性情報にマッチするコンテンツを取得し、再生パターンを生成する、請求項３に記載の装置。
【請求項５】
前記再生パターン生成手段は、再生パターン生成開始のイベントを受信し、前記状態履歴管理手段で管理されている、利用者の属性情報の問い合わせ文を作成し、該問い合わせ文を利用して前記状態履歴管理手段から利用者の属性情報を取得し、前記コンテンツ情報管理手段で管理されているコンテンツから、前記取得された属性情報にマッチするコンテンツを再生コンテンツ候補リストとして出力し、前記状態履歴管理手段で管理されている状態履歴の情報を取得し、前記コンテンツ情報管理手段で管理されている再生済みコンテンツのうち、前記状態履歴に含まれる、前記利用者の拠点接近時間と退去時間の間に再生されたコンテンツを再生済みリストとして出力し、前記再生コンテンツ候補リストに含まれるコンテンツのうち、前記再生済みリストに含まれるコンテンツの優先度を下げる処理を行ない、その結果を再生パターンとする、請求項３に記載の装置。
【請求項６】
前記再生パターン生成手段は、再生パターン生成開始のイベントを受信し、前記状態履歴管理手段で管理されている、利用者の属性情報の問い合わせ文を作成し、該問い合わせ文を利用して前記状態履歴管理手段から利用者の属性情報を取得し、前記コンテンツ情報管理手段で管理されているコンテンツから、前記取得された属性情報にマッチするコンテンツを再生コンテンツ候補リストとして出力し、前記状態履歴管理手段で管理されている状態履歴の情報を取得し、取得した状態履歴のリストを当該拠点の利用者の滞留時間の長い順にソートし、ソートされたリストの上部から１行ずつ拠点接近時間と退去時間を取り出し、該拠点接近時間と該退去時間の間に再生されたコンテンツを検索し、該コンテンツを再生済みリストとして出力し、前記再生コンテンツ候補リストに含まれているコンテンツのうち前記再生済みリストに含まれるコンテンツの優先度を上げる処理を行ない、その結果を再生パターンとする、請求項３に記載の装置。
【請求項７】
前記状態履歴管理手段は、各利用者のＩＤと、各利用者が保持している無線タグのＩＤの対応を示すテーブルを保持している、請求項１から６のいずれ１項に記載の装置。
【請求項８】
再生パターン生成開始のイベントを受信し、状態履歴管理手段で管理されている、各拠点にある表示装置の利用者の属性情報の問い合わせ文を作成し、該問い合わせ文を利用して前記状態履歴管理手段から利用者の属性情報を取得し、コンテンツ情報管理手段で管理されているコンテンツから、前記取得された属性情報にマッチするコンテンツを取得し、再生パターンを生成する再生パターン生成プログラム。
【請求項９】
再生パターン生成開始のイベントを受信し、状態履歴管理手段で管理されている、各拠点にある表示装置の利用者の属性情報の問い合わせ文を作成し、該問い合わせ文を利用して前記状態履歴管理手段から利用者の属性情報を取得し、コンテンツ情報管理手段で管理されているコンテンツから、前記取得された属性情報にマッチするコンテンツを再生コンテンツ候補リストとして出力し、前記状態履歴管理手段で管理されている状態履歴の情報を取得し、前記コンテンツ情報管理手段で管理されている再生済みコンテンツのうち、前記状態履歴に含まれる、前記利用者の拠点接近時間と退去時間の間に再生されたコンテンツを再生済みリストとして出力し、前記再生コンテンツ候補リストに含まれるコンテンツのうち、前記再生済みリストに含まれるコンテンツの優先度を下げる処理を行ない、その結果を再生パターンとする再生パターン生成プログラム。
【請求項１０】
再生パターン生成開始のイベントを受信し、状態履歴管理手段で管理されている、各拠点にある表示装置の利用者の属性情報の問い合わせ文を作成し、該問い合わせ文を利用して前記状態履歴管理手段から利用者の属性情報を取得し、コンテンツ情報管理手段で管理されているコンテンツから、前記取得された属性情報にマッチするコンテンツを再生コンテンツ候補リストとして出力し、前記状態履歴管理手段で管理されている状態履歴の情報を取得し、取得した状態履歴のリストを当該拠点の利用者の滞留時間の長い順にソートし、ソートされたリストの上部から１行ずつ拠点接近時間と退去時間を取り出し、該拠点接近時間と該退去時間の間に再生されたコンテンツを検索し、該コンテンツを再生済みリストとして出力し、前記再生コンテンツ候補リストに含まれているコンテンツのうち前記再生済みリストに含まれるコンテンツの優先度を上げる処理を行ない、その結果を再生パターンとする再生パターン生成プログラム。
【発明の詳細な説明】
【０００１】
【発明の属する技術分野】
本発明は、１つまたは複数の拠点にある表示装置に対して情報を配信する情報配信装置に関する。
【０００２】
【従来の技術】
街頭や店頭にあるディスプレイ端末などの表示装置で不特定多数を対象に映像を再生する場合、あらかじめ作られたビデオテープを再生する、あるいは蓄積された、あるいはストリーミングによって配信したコンテンツを事前に作成した再生パターンに従って指定された順番に再生することを行っている。ネットワークを経由して複数の拠点に映像を配信するものとして、株式会社ナナオから販売されている　Ｉｎｆｏｒｍａｔｉｏｎ　Ｂｒｏａｄｃａｓｔｉｎｇ　Ｓｙｓｔｅｍ　などがある。これは複数の拠点に設置されたディスプレイ端末と、拠点を管理する管理サーバで構成され、管理サーバから各ディスプレイ端末に再生する映像コンテンツと再生パターンを配信するものである。
【０００３】
【発明が解決しようとする課題】
街頭や店頭などの場所で不特定多数を対象にコンテンツを再生する場合、表示装置周辺にいる人がより興味を持ってもらえるようなコンテンツを再生するほうがより効果的であると考えられる。従来の方法では、再生するコンテンツ、あるいは再生するコンテンツの順番はあらかじめ作成し、保持しておく必要がある。その結果、より効果的に表示装置を活用しようと表示装置周辺に女性ばかりいるときと、子供だけがいるときとで再生する内容を変えようとすると、その都度システムを管理する人が再生パターンを作り直し、それを表示装置に配信し、再生させるため、再生させるまでに時間がかかり、管理者にとって非常な労力が必要となる。また、システムを管理する人にとって、集まっている人がどのような人のときにどんなコンテンツを再生すればよいか一般には判断することが難しい。
【０００４】
本発明の目的は、表示装置の周辺にいる人にふさわしいコンテンツを自動的に選択して該表示装置に配信する情報配信装置を提供することにある。
【０００５】
【課題を解決するための手段】
本発明の情報配信装置は、１つまたは複数の拠点に設置された表示装置に対して通信ネットワークを介して情報を配信する装置で、状態読取り手段と状態履歴管理手段とコンテンツ情報管理手段と通信制御手段を有している。
【０００６】
各拠点の表示装置に入力され、通信ネットワークを介して送信されてきた、当該拠点の利用者に関する情報は状態読取り手段で読み取られ、状態履歴管理手段によって、読み取られた各拠点の利用者に関する情報を履歴として記録、管理される。コンテンツ情報管理手段は、各拠点の表示装置で再生するコンテンツに関する情報を管理している。再生パターン生成手段は状態読取り手段から利用者に関する情報の通知を受け、状態履歴管理手段とコンテンツ情報管理手段で保持されている情報を参照して各拠点の表示装置におけるコンテンツの再生パターンを生成し、通信制御手段から通信ネットワークを介して表示装置に送信する。
【０００７】
ここで、再生パターン生成手段による再生パターンの生成には次の３つがある。
【０００８】
１）再生パターン生成開始のイベントを受信し、状態履歴管理手段で管理されている、利用者の属性情報の問い合わせ文を作成し、該問い合わせ文を利用して状態履歴管理手段から利用者の属性情報を取得し、コンテンツ情報管理手段で管理されているコンテンツから、前記取得された属性情報にマッチするコンテンツを取得し、再生パターンを生成する。
【０００９】
２）再生パターン生成開始のイベントを受信し、状態履歴管理手段で管理されている、利用者の属性情報の問い合わせ文を作成し、該問い合わせ文を利用して状態履歴管理手段から利用者の属性情報を取得し、コンテンツ情報管理手段で管理されているコンテンツから、前記取得された属性情報にマッチするコンテンツを再生コンテンツ候補リストとして出力し、状態履歴管理手段で管理されている状態履歴の情報を取得し、コンテンツ情報管理手段で管理されている再生済みコンテンツのうち、前記状態履歴に含まれる、前記利用者の拠点接近時間と退去時間の間に再生されたコンテンツを再生済みリストとして出力し、前記再生コンテンツ候補リストに含まれるコンテンツのうち、前記再生済みリストに含まれるコンテンツの優先度を下げる処理を行ない、その結果を再生パターンとする。本方法は未視聴のコンテンツを優先的に表示するものである。
【００１０】
３）再生パターン生成開始のイベントを受信し、状態履歴管理手段で管理されている、利用者の属性情報の問い合わせ文を作成し、該問い合わせ文を利用して状態履歴管理手段から利用者の属性情報を取得し、コンテンツ情報管理手段で管理されているコンテンツから、前記取得された属性情報にマッチするコンテンツを再生コンテンツ候補リストとして出力し、状態履歴管理手段で管理されている状態履歴の情報を取得し、取得した状態履歴のリストを当該拠点の利用者の滞留時間の長い順にソートし、ソートされたリストの上部から１行ずつ拠点接近時間と退去時間を取り出し、該拠点接近時間と該退去時間の間に再生されたコンテンツを検索し、該コンテンツを再生済みリストとして出力し、前記再生コンテンツ候補リストに含まれているコンテンツのうち前記再生済みリストに含まれるコンテンツの優先度を上げる処理を行ない、その結果を再生パターンとする。本方法は、利用者が興味があると思われるコンテンツを優先的に表示するものである。
【００１１】
【発明の実施の形態】
次に、本発明の実施の形態について図面を参照して説明する。
【００１２】
図１を参照すると、本発明の一実施形態の情報配信・表示システムは、複数の拠点に設置された表示装置１と、通信ネットワーク３と、通信ネットワーク３を介して複数の表示装置１に対して情報を配信する情報配信装置２で構成されている。
【００１３】
表示装置１は、図２（１）に示すように、ディスプレイ端末などの表示器１１と、表示器１１を制御する表示器制御部１２と、表示装置１が設置された拠点の利用者の状態を入力するための状態入力器１３と、状態入力器１３を制御する状態入力制御部１４と、通信ネットワーク３を介して情報配信装置２と通信する通信制御部１５で構成される。
【００１４】
情報配信装置２は、図２（２）に示すように、各拠点における状態を読み取る状態読取部２１と、利用者の状態を履歴として管理する状態履歴管理部２２と、各拠点で再生するコンテンツに関する情報と、各拠点におけるコンテンツ再生の履歴を管理するコンテンツ情報管理部２３と、コンテンツの再生パターンを生成する再生パターン生成部２４と、再生パターン生成部２４での、後述する３つの再生パターン生成方法のうちいずれかを管理者が選択するための再生パターン生成操作部２５と、通信ネットワーク３を介して各表示装置１と通信する通信制御部２６で構成されている。
【００１５】
本実施形態では状態入力器１３として、パッシブ型の無線タグの識別子を受信する受信機を利用する場合を想定している。表示装置設置拠点付近へ行きそうな人にタグの識別子を一定間隔で発信する無線タグをあらかじめ配布しておき、各拠点付近にタグを所持している人が存在するか存在しないか、拠点付近にどのくらいの時間滞留するか、といった情報を状態入力器１３を通じて入力する。そのほかの状態入力例として、赤外線を利用し人が存在するかどうかを識別しその情報を入力する、拠点を監視するオペレータが利用者の状態を手動で入力するなどの例が考えられる。
【００１６】
状態履歴管理部２２は、無線タグを配布した利用者の属性を管理する利用者テーブル２２ａと、配布した無線タグの識別子と利用者を一意に識別する利用者識別子を結びつける無線タグ管理テーブル２２ｂと、各拠点における表示装置１の利用状態を履歴として記録する状態履歴テーブル２２ｃを有する。利用者テーブル２２ａは、表１に示すように、各利用者の利用者ＩＤ、氏名、年令、性別、住所／住居エリア、職業からなる。
【００１７】
【表１】
2004078820.tif 000003
無線タグ管理テーブル２２ｂは、表２に示すように、各利用者の利用者ＩＤと、当該利用者が所持している無線タグの識別子からなる。
【００１８】
【表２】
2004078820.tif 000004
状態履歴テーブル２２ｃは、利用者が各拠点にいつ接近し、いつ退去し、どのくらいの時間その拠点に滞留していたかを管理するもので、表３に示すように、無線タグ識別子と拠点識別子と拠点接近時間と拠点退去時間と滞留時間からなる。
【００１９】
【表３】
2004078820.tif 000005
無線タグを利用者に配布する際には、配布する利用者の属性を利用者テーブル２２ａに保持するのと同時に、無線タグの識別子と利用者ＩＤの対応を無線タグ管理テーブル２２ｂに保持する。
【００２０】
配布された無線タグを持った利用者が、拠点に設置された受信機の付近へ接近することで、状態入力器１３である受信機は無線タグの識別子を受信する。状態入力制御部１４は状態入力器１３が無線タグの識別子を受信すると、まず無線タグの識別子を情報配信装置２の状態読取部２１に通信制御部１５を経由して通知する。その後、状態入力制御部１４でその無線タグの識別子が拠点を離れるまで監視を行う。監視を行った結果として、その無線タグが拠点に存在した滞留時間など、利用者の状態に関する情報を情報配信装置２の状態読取部２１へ通信制御部１５を経由して通知する。
【００２１】
情報配信装置２の状態読取部２１は、まず無線タグを所持した人が拠点に接近した時に無線タグの識別子に関する情報を受信し、その後その拠点における滞留時間など拠点の状態に関する情報を受信する。受信したそれぞれの状態に関する情報は、状態履歴管理部２２の状態履歴テーブル２２ｃに格納する。
【００２２】
コンテンツ情報管理部２３は初期再生パターンテーブル２３ａと再生履歴テーブル２３ｂと再生コンテンツ管理テーブル２３ｃを有している。初期再生パターンテーブル２３ａは、表４に示すように、各拠点の表示装置１に初期状態で再生するコンテンツのコンテンツ識別子を再生パターンとして保持している。
【００２３】
【表４】
2004078820.tif 000006
各拠点の表示装置１でコンテンツが再生されると、拠点識別子と、再生したコンテンツの識別子と、再生を開始した時刻と、再生を終了した時刻が通信制御部１５を介して情報配信装置２に通知されてくる。情報配信装置２のコンテンツ情報管理部２３はこれらの情報を当該拠点における再生履歴として再生履歴テーブル２３ｂに表５に示すように保持する。
【００２４】
【表５】
2004078820.tif 000007
また、再生コンテンツ管理テーブル２３ｃは、表６に示すように、再生する可能性のあるコンテンツそれぞれに対して、コンテンツ識別子、再生するコンテンツファイル名、再生するターゲットとなる利用者の属性情報などを格納している。なお、これらのコンテンツは情報配信装置２から各表示装置１へあらかじめ配信されている。
【００２５】
【表６】
2004078820.tif 000008
再生パターン生成部２４は、無線タグの識別子を受信した拠点に存在する人にとって最適なコンテンツ再生パターンを生成する。再生パターンの作成にあたっては、無線タグを所持している人の属性情報とその人の状態履歴情報を取得し、コンテンツ情報管理部２３でコンテンツに関する情報を参照する。
【００２６】
図３は再生パターン生成部２４の処理の第１の例を示すフローチャートである。
【００２７】
本例は、各コンテンツについて、ターゲットとなる利用者の属性をあらかじめ付与して再生コンテンツ管理テーブル２３ｃに格納しておき、属性が、取得した利用者属性とマッチするコンテンツを再生コンテンツ管理テーブル２３ｃから検索し、それを再生コンテンツ候補リストとして出力するものである。
【００２８】
まず、ステップ１０１に、無線タグの識別子を受け取ったことを再生パターン生成開始のイベントとして受信する。他にもＧＵＩ（Ｇｒａｐｈｉｃａｌ　Ｕｓｅｒ　Ｉｎｔｅｒｆａｃｅ）操作によって再生パターン生成開始としたり、他のセンサ情報のイベントによって再生パターン生成開始を行ったりすることが可能である。次に、ステップ１０２に、ＳＱＬ（Ｓｔｒｕｃｔｕｒｅｄ　Ｑｕｅｒｙ　Ｌａｎｇｕａｇｅ）文など問合せ文を生成し、状態履歴管理部２２に対して問い合わせを実行し、無線タグ管理テーブル２２ｂから該無線タグ識別子に対応する利用者ＩＤを取得する。次に、ステップ１０３に、状態履歴管理部２２に対して問い合わせを実行し、利用者テーブル２２ａから、取得した利用者ＩＤの利用者属性情報を取得する。ステップ１０４に、利用者属性が取得できたかどうか判定する。取得できたならばステップ１０５に、再生コンテンツ管理テーブル２３ｃからターゲット属性がステップ１０３で取得した利用者属性とマッチするコンテンツ識別子を取得するための問い合せ文を生成し、コンテンツ情報管理部２３に対し問い合わせを実行、該当するコンテンツをすべて取得する。ここで取得したコンテンツ識別子が再生コンテンツ候補リストとなる。最後に、ステップ１０６に、通信制御部２６を介して表示装置１に再生コンテンツ候補リストを再生パターンとして送信する。表示装置１では初期再生パターンでのコンテンツ再生を中断し、送られてきた再生パターンでのコンテンツの再生を行う。
【００２９】
図４は再生パターン生成部２４の処理の第２の例を示すフローチャートである。
【００３０】
本例は、再生コンテンツ候補リストを作成するまでは第１の例と同じである。本例は、さらに、状態履歴テーブル２２ｃから、取得した無線タグ識別子と同じ無線タグ識別子を持つ履歴を検索し、該当する履歴について無線タグ識別子、拠点接近時間、退去時間を出力し、再生履歴テーブル２３ｂからこの拠点接近時間と退去時間との間に再生されたコンテンツを検索し、これらコンテンツを再生済みリストとして出力する。そして再生コンテンツ候補リストに含まれるコンテンツのうち、再生済みリストにも含まれるコンテンツについて再生コンテンツ候補リストの下部へ移動して優先度を下げる処理を行い、その結果を再生パターンとして出力する。これにより未視聴のコンテンツが優先的に選択され、表示される。
【００３１】
ステップ１０５までは図３の第１の例と同じである。ステップ１０５で受け取った無線タグの識別子が、例えば‘ＡＡＡＢＢＢ’であった場合、表２の無線タグ管理テーブル２２ｂから利用者ＩＤが‘００１’であることが分かる。利用者ＩＤが‘００１’である利用者属性は表１の利用者テーブル２２ａより以下の通りとなる。
【００３２】
利用者ＩＤ　　　　　　００１
氏名　　　　　　　　　田中　花子
年齢　　　　　　　　　３０
性別　　　　　　　　　女
住所／住居エリア　　　横須賀市若松町
職業　　　　　　　　　主婦
この利用者属性にマッチするコンテンツ情報管理部２３の再生コンテンツ管理テーブル２３ｃのターゲット属性は、００４、００５、００６であることが分かる。ただし、ターゲット属性の「＊」はターゲット属性なしを表す。次に、　ステップ１０７において、状態履歴テーブル２２ｃから、受け取った無線タグの識別子に関する状態履歴を取得するための問い合わせ文を生成し、状態履歴管理部２２に対して問い合わせを実行し、状態履歴を取得する。上記の例の場合、表３の状態履歴テーブル２２ｃの２件が該当し、２件を取得する。ステップ１０８で、状態履歴が取得できると、次に、ステップ１０４において、状態履歴テーブル２２ｃから取得した拠点識別子と、コンテンツ情報管理部２３の再生履歴テーブル２３ｂの拠点識別子が同じもので、状態履歴テーブル２２ｃから取得した拠点接近時間と拠点退去時間に含まれる時間に再生されたコンテンツのコンテンツ識別子を取得する。上記の例の場合、
２００２／６／１５　１４：２０：４５から２００２／６／１５　１４：２２：２０の間では、コンテンツ００１、００３を再生
２００２／６／１５　１４：２５：１４から２００２／６／１５　１４：２６：００の間では、コンテンツ００３、００５を再生していたことが分かる。
次に、ステップ１１０Ａにおいて、ステップ１０５で取得した再生コンテンツ候補リストと、ステップ１０９Ａにおいて得られた過去に再生されたコンテンツのリストを比較し、再生するコンテンツの優先度を決め、再生リストを生成する。上記の例では、ターゲット属性にマッチするコンテンツのうちコンテンツ００５は、この利用者にとってすでに見ているコンテンツであると考えられるため、優先度を下げ再生パターンを生成する。その結果、再生パターン生成部２４で生成された再生パターンは、
００４，００６，００５
となる。
【００３３】
生成された再生パターンは、ステップ１０６に、通信制御部２６を経由して、表示装置１に通知され、表示器制御部１２で初期再生パターンでのコンテンツ再生を中断し、送られてきた再生パターンでのコンテンツ再生を行う。
【００３４】
図５は図４中のステップ１０９Ａの詳細を示すフローチャートである。まず、ステップ２０１に、ステップ１０５の処理より、取得した履歴のリスト順に拠点接近時間、退去時間、滞留時間を取得する。ステップ２０２に、再生履歴テーブル２３ｂから、取得した拠点接近時間と退去時間の間に含まれるコンテンツを検索する。ステップ２０３に、該当するコンテンツを再生済みリストに付加する。ステップ２０４に、以上のステップ２０１から２０３を無線タグ識別子の個数繰り返したか判定する。繰り返していなければステップ２０１に戻り、繰り返したならば、ステップ２０５に再生済みリストをステップ１１０に渡す。
【００３５】
図６は再生パターン生成部２４の処理の第３の例を示すフローチャートである。本図は図４中のステップ１０９Ａの代りにステップ１０９Ｂの処理を行う。
【００３６】
本例では、ステップ１０７で取得した、拠点接近時間と退去時間と滞留時間のリストを滞留時間の長い順にソートし、ソートされたリストの上部から１件ずつ拠点接近時間と退去時間を取り出し、再生履歴テーブル２３ｂから、拠点接近時間と拠点退去時間の間に再生されたコンテンツを検索し、該コンテンツを再生済みリストとして出力する。そして、ステップ１１０Ｂで、再生済みリストに含まれるコンテンツが再生コンテンツ候補リストに含まれていた場合、該コンテンツを再生コンテンツ候補リストの上部へ移動し、優先度を上げる。これにより利用者に興味があると思われるコンテンツが優先的に選択され、表示される。
【００３７】
図７は図６中のステップ１０９Ｂの詳細を示すフローチャートである。まず、ステップ３０１に、ステップ１０７で取得した各状態履歴のリストを滞留時間の長い順にソートする処理を行い、滞留時間の長い順の履歴リストを出力する。ステップ３０２に、履歴リストの上部から１件ずつ拠点接近時間と退去時間を取り出す。ステップ３０３に、再生履歴テーブル２３ｂから、取り出された拠点接近時間と退去時間の間に再生されたコンテンツを検索し、該コンテンツの識別子を出力する。ステップ３０４に、ステップ３０３で出力されたコンテンツ識別子を再生済みリストの下部へ付加し、更新された再生済みリストを出力する。その結果、滞留時間の長い順に再生済みリストが構成される。ステップ３０５で、ステップ３０２からステップ３０４の処理が全ての無線タグ識別子について繰り返されると、更新された再生済みリストをステップ１１０Ｂに渡す。
【００３８】
情報配信装置２の管理者は再生パターン生成部２５から、再生パターン生成部２４の処理の第１、第２、第３の例のいずれの再生方法で再生パターンの生成を行なうかを再生パターン生成部２４に対して指示する。
【００３９】
複数の利用者について再生パターンが求まった場合、複数の再生パターンの中から、特定の年令帯の利用者の再生パターンを選択するとか、複数の再生パターンの各々で優先度が高いものだけを集めるなどして新たな再生パターンを生成する。
【００４０】
なお、本実施形態は表示装置１が複数の場合について説明したが、表示装置１が１つの場合にも本発明は適用可能で、その場合、拠点識別子は不要となる。
【００４１】
また、情報配信装置２内の処理は専用のハードウェアにより実現されるもの以外に、その機能を実現するためのプログラムを、コンピュータ読み取り可能な記録媒体に記録して、この記録媒体に記録されたプログラムをコンピュータシステムに読み込ませ、実行するものであってもよい。コンピュータ読み取り可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータシステム内部の揮発性メモリのように、一定時間プログラムを保持しているものも含む。
【００４２】
【発明の効果】
以上説明したように、本発明によれば、表示装置の周辺にいる利用者の属性によって最適なコンテンツを検索して、該表示装置に配信することにより、利用者およびシステム管理者の双方に対する負担が軽減される効果がある。
【図面の簡単な説明】
【図１】本発明の一実施形態の情報配信・表示システムの構成図である。
【図２】図１中の表示装置１と管理センタ２の構成図である。
【図３】再生パターン生成部２４の処理の第１の例を示すフローチャートである。
【図４】再生パターン生成部２４の処理の第２の例を示すフローチャートである。
【図５】図４中のステップ１０９Ａの詳細を示すフローチャートである。
【図６】再生パターン生成部２４の処理の第３の例を示すフローチャートである。
【図７】図６中のステップ１０９Ｂの詳細を示すフローチャートである。
【符号の説明】
１　　表示装置
２　　情報配信装置
３　　通信ネットワーク
１１　　表示器
１２　　表示器制御部
１３　　状態入力器
１４　　状態入力制御部
１５　　通信制御部
２１　　状態読取部
２２　　状態履歴管理部
２２ａ　　利用者テーブル
２２ｂ　　無線タグ管理テーブル
２２ｃ　　状態履歴テーブル
２３　　コンテンツ情報管理部
２３ａ　　初期再生パターンテーブル
２３ｂ　　再生履歴テーブル
２３ｃ　　再生コンテンツ管理テーブル
２４　　再生パターン生成部
２５　　再生パターン生成操作部
２６　　通信制御部
１０１〜１１０，１１０Ｂ，２０１〜２０５，３０１〜３０６　　ステップ
【図１】
2004078820.tif 000009
【図２】
2004078820.tif 000010
【図３】
2004078820.tif 000011
【図４】
2004078820.tif 000012
【図５】
2004078820.tif 000013
【図６】
2004078820.tif 000014
【図７】
2004078820.tif 000015